(57)【要約】【課題】収納物が自動車用内装部材と収納蓋の間に挟まれてしまうことを防止することができる自動車用収納構造。【解決手段】自動車用収納構造１は、自動車用内装部材２の開口穴２７に対して、支軸３６によって回動する収納蓋３が開閉可能に配設されたものである。収納蓋３は、開口穴２７を閉じる蓋本体部３１と、蓋本体部３１の下端部から延設された受け部３２とを有している。自動車用内装部材２には、収納壁２３が形成されている。収納壁２３における上側位置の左右両側の位置であって、投影線３３２よりも内側の位置には、収納蓋３を閉じる際に、蓋本体部３１と収納壁２３との間に、受け部３２に縦向きに置かれた収納物６の上端部が挟まれようとするときに、収納物６を収納蓋３の左右方向の中心側へ横向きに倒すための孔部２４が形成されている。【選択図】図１
2015098273.tif 000002
【特許請求の範囲】
【請求項１】
自動車用内装部材の室内側表面に形成された開口穴に対して、下端部に設けられた支軸によって回動する収納蓋が開閉可能に配設された自動車用収納構造において、
上記収納蓋は、上記開口穴を閉じる蓋本体部と、該蓋本体部の下端部から裏面側へ延設されて収納物を受ける受け部と、上記蓋本体部の裏面と上記受け部の左右両端とを繋ぐように形成された一対の側壁部とを有しており、
上記自動車用内装部材には、上記開口穴における上側部分の奥側の位置において、上方に向かうにつれて上記蓋本体部との間隔が狭くなる状態で収納壁が形成されており、
該収納壁における上側位置の左右両側であって、上記一対の側壁部の上端縁を上記収納壁と直交する方向において上記収納壁に向かって投影した一対の投影線よりも左右方向における内側の位置には、孔部又は凹部が形成されており、上記収納蓋を閉じる際に、上記受け部に縦向きに置かれた上記収納物の上端部の一部を上記孔部又は上記凹部の周辺部と当接させることを特徴とする自動車用収納構造。
【請求項２】
上記一対の側壁部は、上記受け部に向かうにつれて上記側壁部同士の間隔が狭くなるように傾斜していることを特徴とする請求項１に記載の自動車用収納構造。
【発明の詳細な説明】
【技術分野】
【０００１】
本発明は、収納蓋に収納物を収納するための自動車用収納構造に関する。
【背景技術】
【０００２】
自動車におけるインストルメントパネル等の内装部材には、収納物を収納するための収納ボックスが設けられている。このような収納ボックスとしては、例えば、特許文献１に示された車両用小物入れがある。
特許文献１に示された車両用小物入れは、底部と周壁とを有し、底部と反対側が開口した開口部を有する小物入れ本体と、周壁の端部に回動可能に取り付けられて、開口部を塞ぐ蓋とを備えている。また、収納構造は、蓋によって開口部が閉じられた状態において、蓋の回動を規制する規制手段を備えている。
【先行技術文献】
【特許文献】
【０００３】
【特許文献１】特開平１０−２０３２２２号公報
【発明の概要】
【発明が解決しようとする課題】
【０００４】
しかしながら上記車両用小物入れには以下の課題がある。
自動車の内装材には、種々の機能部品が配設されており、機能部品の配置によっては、車両用小物入れを形成するスペースに影響を与える場合がある。例えば、インストルメントパネルに車両用小物入れを設け、この車両用小物入れの上方に機能部品を配置する場合がある。このような場合には、車両用小物入れと機能部品との間に設けられた車両用小物入れの上部を構成する収納壁と蓋との間隔が、上方に向かうにつれて狭くなるように形成されることがある。また、小物入れ本体の開口部及び開口部を閉じる蓋は、収納壁の手前側に配設される。このように形成された車両用小物入れ内に細長い形状を有する収納物を配置すると、収納物が周壁によって支えられ起立した状態となることがある。そして、収納物が縦向きとなるように起立したときに、蓋を閉じようとすると、収納壁と蓋との間に収納物が挟まれて、蓋を閉めることができない。特に、収納壁と蓋との間に挟まれた収納物が、ライターやリモコン等であった場合、それらの操作スイッチを誤って押してしまうおそれがある。
この課題を解決する方法について、特許文献１の車両用小物入れにおいても何ら示されていない。
【０００５】
本発明は、かかる背景に鑑みてなされたものであり、自動車用内装部材の収納壁と収納蓋との間隔が上方に向かうにつれて狭くなるといった場合において、細長い形状の収納物を収納するときにも、この収納物が自動車用内装部材の収納壁と収納蓋との間に挟まれてしまうことを防止することができる自動車用収納構造を提供しようとするものである。
【課題を解決するための手段】
【０００６】
本発明の一態様は、自動車用内装部材の室内側表面に形成された開口穴に対して、下端部に設けられた支軸によって回動する収納蓋が開閉可能に配設された自動車用収納構造において、
上記収納蓋は、上記開口穴を閉じる蓋本体部と、該蓋本体部の下端部から裏面側へ延設されて収納物を受ける受け部と、上記蓋本体部の裏面と上記受け部の左右両端とを繋ぐように形成された一対の側壁部とを有しており、
上記自動車用内装部材には、上記開口穴における上側部分の奥側の位置において、上方に向かうにつれて上記蓋本体部との間隔が狭くなる状態で収納壁が形成されており、
該収納壁における上側位置の左右両側であって、上記収納壁と直交する方向において上記一対の側壁部の上端縁を上記収納壁に向かって投影した一対の投影線よりも左右方向における内側の位置には、孔部又は凹部が形成されており、上記収納蓋を閉じる際に、上記受け部に縦向きに置かれた上記収納物の上端部の一部を上記孔部又は上記凹部の周辺部と当接させることを特徴とする自動車用収納構造にある。
【発明の効果】
【０００７】
上記自動車用収納構造は、上記自動車用内装部材の上記収納壁と上記蓋本体部との間隔が、上方に向かうにつれて狭くなるといった特殊な構造を有する場合に、細長い形状を有するライターやリモコン等の収納物が収納されるときの課題を解決するものである。具体的には、上記特殊な構造において、上記収納壁における上側位置の左右両側の位置であって、上記投影線よりも内側の位置には、上記孔部又は上記凹部を形成している。そして、この孔部又は凹部により、次の優れた作用効果を得ることができる。
【０００８】
上記収納蓋を開き、上記開口穴が開放された状態で、上記収納蓋の受け部上に載置した細長い形状の収納物は、この受け部の左右方向の端部位置において、縦向きに置かれた状態となる場合がある。この状態で、上記開口穴を上記収納蓋によって閉じるように、上記支軸を回転中心として上記収納蓋を回動させると、上記蓋本体部と上記収納壁との間において、収納物の上端部が上記蓋本体部と上記収納壁とに挟まれようとする。このとき、上記自動車用収納構造においては、収納物の上端部の一部が上記孔部又は上記凹部の周辺部に当接することになる。これにより、上記収納蓋を閉じようとする力を、収納物を左右方向の中心側へ横向きに倒そうとする力に変換することができる。そのため、上記収納蓋により上記開口穴を閉じる動作によって収納物を横向きに倒すことができ、収納物が上記収納蓋と上記収納壁との間で挟まれることを防止することができる。
【０００９】
以上のごとく、上記自動車用収納構造によれば、自動車用内装部材の収納壁と収納蓋との間隔が上方に向かうにつれて狭くなるといった場合において、細長い形状の収納物を収納するときにも、この収納物が自動車用内装部材の収納壁と収納蓋との間に挟まれてしまうことを防止することができる。
【図面の簡単な説明】
【００１０】
【図１】実施例１における、自動車用収納構造を示す説明図。
【図２】実施例１における、開口穴を閉じた状態の自動車用収納構造を示す説明図（図１における、Ａ−Ａ矢視断面相当図）。
【図３】実施例１における、開口穴を開いた状態の自動車用収納構造を示す説明図（図１における、Ａ−Ａ矢視断面相当図）。
【図４】実施例１における、自動車用収納構造を示す断面図（図２における、Ｃ−Ｃ矢視断面相当図）。
【図５】実施例１における、孔部の形状を示す説明図（図１におけるＢ矢視相当図）。
【図６】実施例１における、開口穴を閉じる際に収納物が孔部と当接した状態を示す説明図。
【図７】実施例１における、自動車用収納構造の位置を示す説明図。
【図８】凹部を備えた自動車用収納構造を示す断面図。
【図９】孔部の形状の一例を示す説明図。
【発明を実施するための形態】
【００１１】
上記自動車用収納構造において、上記一対の側壁部は、上記受け部に向かうにつれて上記側壁部同士の間隔が狭くなるように傾斜していることが好ましい。この場合には、縦向きに置かれた上記収納物が、上記一対の側壁部側に傾いた際に、上記側壁部の傾斜に沿って上記収納物を滑らせて、上記収納物を横向きに倒すことができる。これにより、上記収納物をより容易に横向きに倒すことができる。
【００１２】
また、上記自動車用内装部材は、自動車の室内の前方側に設けられるインストルメントパネルの少なくとも一部を構成しており、上記自動車用内装部材における、上記収納壁の奥側の位置には、機能部品が隣接して配設されており、上記収納壁は、上記機能部品との干渉を避けるために、上方に向かうにつれて上記蓋本体部との間隔が狭くなっていてもよい。インストルメントパネルには、例えば、ＥＴＣ車載機やエアコンのダクト等の機能部品が配設されている。これらの機能部品が上記収納壁の奥側に配されると、上記収納壁と上記収納蓋との間隔が上方に向かうにつれて狭くなる構造を採用せざるを得なくなる。上記自動車用収納構造は、上記機能部品が上記収納壁の奥側に配設された場合に特に有効である。
【実施例】
【００１３】
上記自動車用収納構造にかかる実施例について、図１〜図７を参照して説明する。
図１に示すごとく、自動車用収納構造１は、自動車用内装部材２の室内側表面に形成された開口穴２７に対して、下端部に設けられた支軸３６（図２）によって回動する収納蓋３が開閉可能に配設されたものである。
収納蓋３は、開口穴２７を閉じる蓋本体部３１と、蓋本体部３１の下端部から裏面側へ延設されて収納物６を受ける受け部３２とを有している。自動車用内装部材２には、開口穴２７における上側部分の奥側の位置において、上方に向かうにつれて手前側に傾斜する収納壁２３が形成されている。
収納壁２３における上側位置の左右両側であって、収納壁２３と直交する方向において一対の側壁部３３の上端縁を収納壁２３に向かって投影した投影線３３２よりも左右方向における内側の位置には孔部２４が形成されている。収納蓋２３を閉じる際に、受け部３２に縦向きに置かれた収納物６の上端部の一部が孔部２４の周辺部と当接する。
【００１４】
以下、さらに詳細に説明する。
図７に示すごとく、本例の自動車用収納構造１は、自動車の室内の前方側に設けられたインストルメントパネル５１において、運転席５３の前方に配されたステアリング５２の右側下方に設けられている。
図１及び図２に示すごとく、自動車用収納構造１における収納蓋３は、自動車用内装部材２の開口穴２７を閉じる蓋本体部３１と、蓋本体部３１の下端部から裏面側へ延設されて収納物６を受ける受け部３２と、蓋本体部３１及び受け部３２の左右方向に配された端部同士をそれぞれつなぐ一対の側壁部３３とを有している。収納蓋３における、受け部３２及び側壁部３３は、自動車用内装部材２における開口穴２７の奥側に配置されている。
【００１５】
また、図２及び図３に示すごとく、収納蓋３は、支軸３６を中心として回動することによって開口穴２７を開閉可能に構成されている。支軸３６は、側壁部３３における蓋本体部３１と受け部３２とが接続された角部３５の内側の部位に形成され、自動車用内装部材２に対して、収納蓋３を回動可能に支持している。
蓋本体部３１は、開口穴２７の内側に嵌め込まれることにより開口穴２７を閉じるよう構成されている。また、収納蓋３の上端には、手前側の下方に折り返された取手部３１１が形成されている。
【００１６】
受け部３２は、蓋本体部３１の下端部から裏面側へ延設される受け本体３２１と、受け本体３２１における奥側の端部から上方に折れ曲がって延設された補助壁３２２とを有している。
図４に示すごとく、一対の側壁部３３は、受け部３２と反対側に配された上端縁３３１から受け部３２に向かうにつれて、側壁部３３同士の間隔が狭くなるように傾斜して形成されている。これにより、縦向きに置かれた収納物６が、近接する側壁部３３側に傾いた際に、側壁部３３の傾斜に沿って収納物６を滑らせて、収納物６を横向きに倒すことができる。これにより、収納物６をより容易に横向きに倒すことができる。
【００１７】
図１に示すごとく、自動車用内装部材２は、インストルメントパネル５１の一部を構成するものであり、インストルメントパネルにおける運転席側の位置に設けられている。自動車用内装部材２は、自動車用収納構造１を構成する開口部２７と、機能部品４を配置する配置部２８とを形成している。自動車用内装部材２は、開口部２７及び部品配置部２８の周囲を囲うように配された枠体２１と、枠体２１の内側に配され、上方に向かうにつれて手前側に傾斜し、蓋本体部３１との間隔が狭くなる収納壁２３とを有している。
枠体２１には、自動車用内装部材２をインストルメントパネル５１へと固定するための固定部２１３が形成されている。尚、自動車用内装部材２は、インストルメントパネル５１と一体的に形成されていてもよい。
【００１８】
図１〜図３に示すごとく、収納蓋３を配設した部位の上側であって、収納壁２３の奥側（上側）の部品配置部２８には、機能部品４が配されている。本例の機能部品４は、ＥＴＣ車載機である。そして、機能部品４との干渉を避けるために収納壁２３は、収納蓋３の蓋本体部３１と対向する下端部２９の上端部から手前側に傾斜する状態で折れ曲がって形成されている。また、収納壁２３は、機能部品４に対して平行な状態で形成されている。
【００１９】
収納壁２３の手前側（下側）には、枠体２１と収納壁２３とによって囲まれた開口穴２７が形成されている。開口穴２７の奥側（前方側）は、車両の前方側に向かって窪んでおり、収納蓋３の蓋本体部３１によって開口穴２７を閉じた際には、収納蓋３の受け部３２及び側壁部３３が開口穴２７の奥側に配される。
【００２０】
図１〜図３に示すごとく、収納壁２３は、左右両側に配された一対の孔部２４と、１つの侵入防止孔２６とを有している。
侵入防止孔２６は、収納壁２３における一対の孔部２４よりも下側の位置で、左右方向の中央位置において、下側に向かって上下に長い形状に形成されている。収納蓋３の受け部３２における補助壁部３２２の先端部からは、侵入防止爪３４が延設されており、収納蓋３を開いた際に、侵入防止爪３４が侵入防止孔２６に挿入される。これにより、収納壁２３と収納蓋３との隙間にカード等が入り込むことを防止することができる。
【００２１】
図５に示すごとく、一対の孔部２４は、収納壁２３における上側位置の左右両側の位置であって、一対の投影線３３２の内側の位置に形成されている。一対の投影線３３２は、一対の側壁部３３の上端縁３３１を、収納壁２３と直交する方向において、収納壁２３に投影したものである。本例の各孔部２４の下端部２４１における左右方向の外側の位置には、中心側に向かうにつれて下降傾斜した傾斜部２４２が形成されている。
【００２２】
次に本例の作用効果について説明する。
自動車用収納構造１は、機能部品４が収納壁２３の奥側に配されており収納壁２３と蓋本体部３１との間隔が、上方に向かうにつれて狭くなるといった特殊な構造を採用せざるを得ない。自動車用収納構造１は、このような場合に、細長い形状を有するライターやリモコン等の収納物６が収納されるときの課題を解決するものである。具体的には、上記特殊な構造において、収納壁２３における上側位置の左右両側の位置であって、投影線３３２よりも内側の位置に孔部２４を形成している。そして、この孔部２４により、次の優れた作用効果を得ることができる。
【００２３】
図３に示すごとく、収納蓋３を開き、開口穴２７が開放された状態で、収納蓋３の受け部３２上に載置した細長い形状の収納物６は、この受け部３２の左右方向の端部位置において、縦向きに置かれた状態となる場合がある。この状態で、開口穴２７を収納蓋３によって閉じるように、支軸３６を回転中心として収納蓋３を回動させると、蓋本体部３１と収納壁２３との間において、収納物６の上端部の一部が蓋本体部３１と収納壁２３とに挟まれようとする。このとき、自動車用収納構造１においては、図２及び図６に示すごとく、収納物６の上端部が孔部２４の周辺部に当接することになる。これにより、収納蓋３を閉じようとする力を、収納物６を左右方向の中心側へ横向きに倒そうとする力に変換することができる。そのため、収納蓋３により開口穴２７を閉じる動作によって収納物６を横向きに倒すことができ、収納物６が収納蓋３と収納壁２３との間で挟まれることを防止することができる。
【００２４】
尚、収納物６は、孔部２４の周辺部に当接して、上端部から左右方向の中心側に倒れることもあれば、孔部２４の周辺部に当接して、下端部が左右方向の中心側に滑って、この中心側に倒れることもあると考えられる。
【００２５】
以上のごとく、本例の自動車用収納構造１によれば、自動車用内装部材２の収納壁２３と収納蓋３との間隔が上方に向かうにつれて狭くなるといった場合において、細長い形状の収納物６を収納するときにも、この収納物６が自動車用内装部材２の収納壁２３と収納蓋３との間に挟まれてしまうことを防止することができる。
【００２６】
上記実施例においては、収納壁２３には、孔部２４を貫通形成した。これ以外にも、図８に示すごとく、収納壁２３には、孔部２４の代わりに収納壁２３の一部を奥側に窪ませた凹部２５を形成することもできる。
また、孔部２４の下端部における左右方向の外側の一部に傾斜部２４２を形成した。これ以外にも、例えば、図９に示すごとく、下端部２４１の全体を傾斜部２４２としてもよい。また、傾斜部２４２における傾斜角度は適宜設定することができる。
【符号の説明】
【００２７】
１  自動車用収納構造
２  自動車用内装部材
２３  収納壁
２４  孔部
２５  凹部
２７  開口穴
３  収納蓋
３１  蓋本体部
３２  受け部
３６  支軸
４  機能部品
５１  インストルメントパネル
６  収納物
【図１】
2015098273.tif 000003
【図２】
2015098273.tif 000004
【図３】
2015098273.tif 000005
【図４】
2015098273.tif 000006
【図５】
2015098273.tif 000007
【図６】
2015098273.tif 000008
【図７】
2015098273.tif 000009
【図８】
2015098273.tif 000010
【図９】
2015098273.tif 000011